(57)【要約】【課題】テレビやゲーム機の表示装置の画面を、近距離で長時間にわたって見続けた場合に、自動的に警報を発することのできる表示装置もしくは制御装置を提供すること。【解決手段】本発明にかかる画面接近警報装置は、表示装置の正面の所定範囲に存在する人体までの距離を検出する距離計測手段と、前記距離計測手段にて検出した計測距離が、予め設定された限界距離以下になったときに、警報を出力する警報制御手段とを備えることによって、表示装置の画面を近距離で見続けることに注意を促すように構成した。【選択図】図１
2010044607.tif 000002
【特許請求の範囲】
【請求項１】
表示装置の正面の所定範囲に存在する人体までの距離を検出する距離計測手段と、
前記距離計測手段にて検出した計測距離が、予め設定された限界距離以下になったときに、警報を出力する警報制御手段と
を備えることによって、表示装置の画面を近距離で見続けることに注意を促すように構成されていることを特徴とする画面接近警報装置。
【請求項２】
前記警報制御手段は、前記計測距離が所定の設定時間以上連続して前記限界距離以下であるときに警報を出力するように構成されていることを特徴とする請求項１に記載の画面接近警報装置。
【請求項３】
前記警報制御手段は、前記表示装置の画面に注意を促す文字もしくは図形を表示させることを特徴とする請求項１または２の何れか１項に記載の画面接近警報装置。
【請求項４】
前記警報制御手段は、前記表示装置の画面の明るさを低下させるように制御することを特徴とする請求項１または２の何れか１項に記載の画面接近警報装置。
【請求項５】
前記警報制御手段は、注意を促す音声を出力する音声出力手段を備えていることを特徴とする請求項１乃至４の何れか１項に記載の画面接近警報装置。
【請求項６】
前記警報制御手段は、前記表示装置の電源をオフにする電源制御手段を備えていることを特徴とする請求項１乃至５の何れか１項に記載の画面接近警報装置。
【請求項７】
前記距離計測手段は、遠赤外線、レーダー波、超音波反射の少なくとも何れかひとつを、表示装置の前方へ照射して、表示装置の正面の所定範囲に存在する人体からの反射波を検出することによって人体までの距離を検出するように構成されていることを特徴とする請求項１乃至６の何れか１項に記載の画面接近警報装置。
【請求項８】
前記距離計測手段は、表示装置の前方の床もしくは天井に設置されていることを特徴とする請求項１乃至６の何れか１項に記載の画面接近警報装置。
【発明の詳細な説明】
【技術分野】
【０００１】
本発明は、テレビやゲーム機の表示装置の画面を、近距離で長時間にわたって見続けることの弊害を防ぐための制御機能に関するものである。
【背景技術】
【０００２】
テレビやゲーム機の表示装置の画面を、近距離で長時間にわたって見続けると、視覚や思考形態への障害が生じる場合があると言われているが、つい、画面に近づきすぎる場合がある。
特許文献１には、テレビゲーム等をする時の注意事項と広告、広告主を記載した視力表が開示されている。この文献に記載の技術は、マルチメディアでテレビゲーム遊び、教育活動等をする際のマニュアルとその際惹起する疾病とその対策及び広告、広告主を記載した万国視力表、近距離視力表に関するものである。
【０００３】
【特許文献１】特開平７−２５５６７０号公報
【発明の開示】
【発明が解決しようとする課題】
【０００４】
従来より、例えば、家庭において、子供がテレビやゲーム機の表示装置の画面を、近距離で長時間にわたって見続けることを防ぐためには、親などが常時監視しておき、距離が近すぎた場合には注意を与えることが必要であり、場合によっては、テレビを消したり、ゲーム機を取り上げたりすることが必要であった。
何れの場合でも、親の手間がかかるとともに、完全に監視できるわけではないという問題や、いつまでたっても子供自身の自制する能力を育てることができないという問題などがあった。
【０００５】
そこで、本発明は、テレビやゲーム機の表示装置の画面を、近距離で長時間にわたって見続けた場合に、自動的に警報を発することのできる表示装置もしくは制御装置を提供することを目的としてなされたものである。
【課題を解決するための手段】
【０００６】
本発明の請求項１にかかる画面接近警報装置は、
表示装置の正面の所定範囲に存在する人体までの距離を検出する距離計測手段と、
前記距離計測手段にて検出した計測距離が、予め設定された限界距離以下になったときに、警報を出力する警報制御手段と
を備えることによって、表示装置の画面を近距離で見続けることに注意を促すように構成されている。
請求項２の発明では、
前記警報制御手段は、前記計測距離が所定の設定時間以上連続して前記限界距離以下であるときに警報を出力するように構成されている。
請求項３の発明では、
前記警報制御手段は、前記表示装置の画面に注意を促す文字もしくは図形を表示させるように構成されている。
請求項４の発明では、
前記警報制御手段は、前記表示装置の画面の明るさを低下させるように制御する。
請求項５の発明では、
前記警報制御手段は、注意を促す音声を出力する音声出力手段を備えている。
請求項６の発明では、
前記警報制御手段は、前記表示装置の電源をオフにする電源制御手段を備えている。
請求項７の発明では、
前記距離計測手段は、遠赤外線、レーダー波、超音波反射の少なくとも何れかひとつを、表示装置の前方へ照射して、表示装置の正面の所定範囲に存在する人体からの反射波を検出することによって人体までの距離を検出するように構成されている。
請求項８の発明では、
前記距離計測手段は、表示装置の前方の床もしくは天井に設置されている。
【発明の効果】
【０００７】
本発明の請求項１にかかる画面接近警報装置によれば、
表示装置の正面の所定範囲に存在する人体までの距離を検出し、
検出した計測距離が、予め設定された限界距離以下になったときに、警報を出力して、表示装置の画面を近距離で見続けることに注意を促すので、テレビやゲーム機の表示装置の画面を、近距離で長時間にわたって見続けることを防ぐことができる。
請求項２の発明では、計測距離が所定の設定時間以上連続して前記限界距離以下であるときに警報を出力するので、表示装置の前を通りすぎるだけの場合などでは警報を出力しない。
請求項３の発明では、前記表示装置の画面に注意を促す文字もしくは図形を表示させるので、確実に気づかせることができる。
請求項４の発明では、前記表示装置の画面の明るさを低下させるので、視覚への影響を低減できる。
請求項５の発明では、注意を促す音声を出力するので、確実に気づかせることができる。
請求項６の発明では、前記表示装置の電源をオフにするので、確実に気づかせることができる。
請求項７の発明では、
前記距離計測手段は、遠赤外線、レーダー波、超音波反射の少なくとも何れかひとつを、表示装置の前方へ照射して、表示装置の正面の所定範囲に存在する人体からの反射波を検出することによって人体までの距離を検出するので、広く普及した技術で構成することができ、画面接近警報装置の価格も抑えることができる。
請求項８の発明では、
前記距離計測手段は、表示装置の前方の床もしくは天井に設置されているので、表示装置の前方の人体を確実に検出することができる。
【発明を実施するための最良の形態】
【０００８】
以下に、本発明にかかる画面接近警報装置を、その実施の形態を示した図面に基づいて詳細に説明する。
図１において、
１はテレビやゲーム機の表示装置である。２はテレビの受信部やゲーム機の本体部である。ゲーム機の場合には、コントローラなどの操作部（図示せず。）が前記本体部２に接続されている。３は本発明に係る画面接近警報装置である。
前記画面接近警報装置３は、図２に示したように、種々の物理的原理や手法を用いた距離計測手段としての距離検出部４と、警報制御手段としての警報判断部５および警報出力部６とを含んでいる。
【実施例１】
【０００９】
実施例１の画面接近警報装置３の場合は、
前記距離検出部４は、種々の技術を利用することができるが、例えば、実施例１では、パルス状の遠赤外線を正面に向けて照射して、その赤外線が、正面にいる人体の表面で反射したとき、その反射波を受信するタイミングを計測することによって、前記人体までの距離を計測するように構成されている。なお、後述するように、他の方法で距離を検出することも可能である。
【００１０】
前記警報判断部５は、前記距離計測部４で計測した人体までの計測距離を、予め設定した所定の限界距離と比較して、前記限界距離以下になった場合には、内蔵タイマ５１を起動して経過時間の計測を開始する。経過時間の計測途中で前記計測距離が前記限界距離を超えた場合には、前記内蔵タイマ５１はリセットされる。前記計測距離が前記限界距離を超えることなく、予め設定された限界時間が経過するまで前記内蔵タイマ５１がリセットされない場合には、警報を出すべき状況であると判断して、警報判断信号を出力する。
【００１１】
前記警報出力部６は、前記警報判断部５から出力された警報判断信号が入力されると、
スピーカ６１から「画面に近づき過ぎです！離れて下さい！」などの音声による警告を発したり、警告文字や警告灯６２を点滅制御したりして、画面までの距離が近すぎることを警告する。
このようにして、無意識に近づき過ぎた場合でも、前記画面接近警報装置３から警告が発せられるので、前記表示装置１の画面を見ていた人物が気づかずに長時間、近距離から見続けることは防ぐことが可能となる。
【００１２】
以上においては、距離検出部４は、遠赤外線の反射光に基づいて距離を計測しているが、例えば、前記距離検出部４から、超音波を正面に向けて発射して、その超音波が、正面にいる人体の表面で反射したとき、その反射波を受信するタイミングを計測することによって、前記人体までの距離を計測するように構成してもよい。
このように、種々の光や音波や電磁波などを正面に向けて照射し、それらの反射波を計測することによって人体までの距離を検出することが可能である。
また、内蔵タイマ５１によって、予め設定された限界時間以上の間、限界距離以内で画面を見続けた場合に、警報を出力するので、画面の近くを通過するなどのように、限界距離以内に居る時間が短時間の場合には警報は出力されず、適正な警報判断が可能となる。
【実施例２】
【００１３】
実施例２の画面接近警報装置２３は、図３に示したように、距離計測手段として、電気抵抗式や静電容量式の検出スイッチ２４を、表示装置１の前面の床面に配設し、人体が前記検出スイッチ２４の検知エリアに来たときに、警報判断部２５から警報判断信号を出力するように構成した。警報出力部２６は上述した警報出力部６と同様の構成とすることができるので、その詳細な説明は省いた。
【実施例３】
【００１４】
実施例３の画面接近警報装置３３は、図４に示したように、焦電型の赤外線センサ３４を、表示装置１の前面の上部空間（天井など）に配設し、人体が焦電型の赤外線センサ３４の検知エリア（破線で示した領域）に来たときに、警報判断部３５から警報判断信号を出力するように構成した。警報出力部３６は上述した警報出力部６と同様の構成とすることができるので、その詳細な説明は省いた。この場合は、前記検知エリアは限界距離以内の領域に相当するものである。
【実施例４】
【００１５】
実施例４の画面接近警報装置４３は、図５に示したように、警報出力部４６には画面制御回路４３１が内蔵されており、距離計測手段４４にて近づき過ぎたことを検出して、前記同様に内蔵タイマが所定の経過時間までリセットされないと、警報判断部４５から警報判断信号が出力され、前記画面制御回路４３１は、「画面に近づき過ぎです！離れて下さい！」などの警告用の文章を表示させるための表示データを生成し、前記表示装置１の画面に表示させる。
または、前述したような音声による警告とともに、前記画面制御回路４３１によって前記表示装置１の映像回路を制御して、画面の輝度を低下させたり、画面の表示をオフにするように制御してもよい。このように画面を制御することによって、いやでも画面から離れざるをえないので、近い距離から見続けるという弊害を防ぐことができる。
【実施例５】
【００１６】
実施例５では、テレビの受信機の場合には、受信チャンネルを別のチャンネルに強制的に切り換えるように制御してもよい。
【実施例６】
【００１７】
実施例６の画面接近警報装置６３は、図６に示したように、警報出力部６６には電源制御回路６３１が内蔵されており、距離計測手段６４にて近づき過ぎたことを検出して、前記同様に内蔵タイマが所定の経過時間までリセットされないと、警報判断部６５から警報判断信号が出力され、前記電源制御回路６３１は、前記表示装置１もしくは前記受信部または本体２の電源をオフにする。
この場合には、所定の設定時間が経過するまでは、電源の再投入ができないように制御するとよい。このように電源をオフに制御することによって、近い距離から長時間連続して見続けるという弊害を防ぐことができる。
【実施例７】
【００１８】
以上の実施例においては、画面接近警報装置３、２３、３３、４３、６３は、前記本体部２に内蔵した形態とすることもできる。画面接近警報装置を内蔵した形態の場合には装置が一体化して相互の接続も外部では不要であるのですっきりする。
画面接近警報装置を前記本体部２に内蔵せずに、別の装置として後付け可能な画面接近警報装置とすることもできる。
この場合には、前記表示装置１や前記本体部２との相互接続が容易に解除されないように接続部をカバーするなどのロック機構を備えるとよい。
実施例８では、図７に示したように、通常の表示装置１や本体部２とは別の画面接近警報装置８３として、従来の表示装置１と本体部２に後付けできるように構成した。
この場合の画面接近警報装置８３は、上述したような種々の形式の距離計測手段と、警報判断部と、警報出力部と、前記表示装置１や本体部２との接続部８３１とを含んでいる。
前記接続部８３１は、例えば、前記通常の表示装置１と本体部２の電源プラグを差し込むためのコンセントや、前記通常の表示装置１の表示信号入力端子と前記本体部２の表示信号出力端子と接続するためのコネクタ等を備えている。
前記従来の表示装置１と本体部２の電源プラグを差し込むためのコンセントには、電源プラグを簡単に引き抜いて別のコンセント差し替えることができないように、施錠機構付きのロック機構８３２を備えるとよい。
【図面の簡単な説明】
【００１９】
【図１】本発明にかかる画面接近警報装置の実施の形態の構成を示した構成図である。
【図２】実施例１に係る画面接近警報装置のブロック図である。
【図３】実施例２に係る画面接近警報装置のブロック図である。
【図４】実施例３に係る画面接近警報装置のブロック図である。
【図５】実施例４に係る画面接近警報装置のブロック図である。
【図６】実施例６に係る画面接近警報装置のブロック図である。
【図７】実施例８に係る画面接近警報装置のブロック図である。
【符号の説明】
【００２０】
１  表示装置
２  本体部
３  画面接近警報装置
４  距離計測手段、距離検出部
５  警報制御手段
５  警報判断部
６  警報出力部
【図１】
2010044607.tif 000003
【図２】
2010044607.tif 000004
【図３】
2010044607.tif 000005
【図４】
2010044607.tif 000006
【図５】
2010044607.tif 000007
【図６】
2010044607.tif 000008
【図７】
2010044607.tif 000009